(57)【要約】【課題】室内機に通信するときに限り室内機から情報を受信するリモートコントローラのコントローラ側表示部への表示タイミングと室内機の本体側表示部への表示タイミングの不一致を解消する。【解決手段】ステップＳ１０２においてダストボックス（ＤＢ）掃除要請サインの表示の要求信号が室内機の報知側制御部に入力されていると判断された場合には、ＤＢ掃除要請サインをユーザに報知しなければならない。しかし、ステップＳ１０６及びステップＳ１０８において、室内機からリモートコントローラへＤＢ掃除要請サインの表示指示信号が送信され、かつ、リモートコントローラから室内機へ運転停止の指示信号が送信されるまで、室内機におけるＤＢ掃除要請サインの表示を遅延させることによって、リモートコントローラの表示タイミングと室内機の表示タイミングを揃える。【選択図】図１３
2010121886.tif 000002
【特許請求の範囲】
【請求項１】
所定の条件が成立したときに報知する空気調和関連情報を表示するための本体側表示部（１２３）を有する本体（２，３）と、
前記本体から分離して設けられ、前記本体に信号を送信するときに前記本体から前記空気調和関連情報を表示するための信号を受信可能に構成され、前記空気調和関連情報を表示するための機器側表示部（２１２）を有する付属機器（５）とを備え、
前記本体は、前記所定の条件が成立している場合でも、前記本体側表示部への前記空気調和関連情報の表示を、前記機器側表示部に前記空気調和関連情報を表示するための信号の前記付属機器への送信までは少なくとも遅延する、表示の遅延処理を実施可能に構成されている、空気調和装置。
【請求項２】
前記遅延処理は、前記空気調和関連情報を表示するための信号の前記付属機器への前記本体からの送信後に前記付属機器が表示可能になるまで前記本体側表示部への表示を遅延させるものである、請求項１に記載の空気調和装置。
【請求項３】
前記付属機器は、前記本体の運転を制御するための設定条件を無線通信により送信するためのリモートコントローラ（５）であり、
前記リモートコントローラは、前記空気調和関連情報を前記機器側表示部に表示するための信号を無線通信により受信するように構成されている、請求項１または請求項２に記載の空気調和装置。
【請求項４】
前記本体は、前記所定の条件が成立し、かつ、所定の優先条件が成立する場合、前記遅延処理を行わずに前記本体側表示部に表示を指示する表示の優先処理を実施可能に構成されている、請求項１から３のいずれかに記載の空気調和装置。
【請求項５】
前記所定の優先条件は、前記空気調和関連情報が前記付属機器から送信される情報によらずに前記本体で自立的に行う所定運転に関するものである、請求項４に記載の空気調和装置。
【請求項６】
前記本体は、前記付属機器からの信号の受信及び前記空気調和関連情報を表示するための信号の前記付属機器への送信が可能な本体側送受信部（１２４）と、前記本体側表示部及び前記本体側送受信部を制御する本体側制御部（１００）とをさらに有し、
前記付属機器は、前記本体側送受信部との間で信号の送受信が可能な機器側送受信部（２１３）と、前記機器側表示部及び前記機器側送受信部を制御する機器側制御部（２００）とをさらに有し、
前記本体側制御部は、前記所定の条件が成立しており、かつ、前記付属機器からの運転停止要求が有ったときに、前記本体側表示部に前記空気調和関連情報の表示を指示し、
前記機器側制御部は、前記付属機器への送信を前記本体側送受信部から受けたときに、前記機器側表示部に前記空気調和関連情報の表示を指示する、請求項１から５のいずれかに記載の空気調和装置。
【請求項７】
前記本体は、吸入する室内空気から塵埃を取り除くエアフィルタ（３０）と、前記エアフィルタの清掃のときに出た塵埃を蓄積するダストボックス（２８）とをさらに備え、
前記空気調和関連情報は、前記ダストボックスのメンテナンスに関する情報であり、
前記所定の条件は、前記ダストボックスに蓄積されたものの廃棄が必要になったことを示す事象の検知である、請求項１から６のいずれかに記載の空気調和装置。
【請求項８】
前記本体は、前記所定条件が成立し、かつ前記本体が前記付属機器から送信される情報によらずに前記エアフィルタの清掃を行ったという優先条件が成立しているときに、前記遅延処理を行わずに前記本体側表示部に表示を指示する表示の優先処理を実施可能に構成されている、請求項７に記載の空気調和装置。
【請求項９】
前記本体は、前記所定条件が成立し、かつ前記本体の運転中に強制的に前記エアフィルタの清掃を行ったという優先条件が成立しているときに、前記遅延処理を行わずに前記本体側表示部に表示を指示する表示の優先処理を実施可能に構成されている、請求項７に記載の空気調和装置。
【発明の詳細な説明】
【技術分野】
【０００１】
本発明は、空気調和装置に関し、特に、本体及び本体から分離された付属機器の双方に表示部を有する空気調和装置に関する。
【背景技術】
【０００２】
空気調和装置は、本体と本体から分離されたリモートコントローラとに操作部を有し、もっぱらリモートコントローラからの操作により運転状態の制御のための設定条件が設定される（例えば、特許文献１参照）。そのため、従来から空気調和装置本体に本体側表示部が設けられるとともに、リモートコントローラにもコントローラ側表示部が設けられている。
【０００３】
そして、これら本体側表示部とコントローラ側表示部の両方を使い分けて、室内温度、室内湿度及び外気温の測定値などの環境状態に関する情報の表示が行われたり、室内温度や室内湿度の設定値及び消費電力などの空気調和装置の運転状態に関する情報の表示が行われたりしている。このような環境状態や運転状態に関する同一の空気調和関連情報を本体側表示部及びコントローラ側表示部の双方において表示する場合には、同じタイミングで表示することが好ましい。
【特許文献１】特開２００４‐１０１１０１号公報
【発明の開示】
【発明が解決しようとする課題】
【０００４】
しかしながら、リモートコントローラと空気調和装置本体との間の通信を無線通信によって行う場合には、消費電力の低減や不要な電磁波の発生の抑制などの理由から、リモートコントローラから本体への設定条件などの送信に対する返信においてしか本体からリモートコントローラに対して情報が送信できないのが一般的である。そのため、リモートコントローラと本体との間で常時情報の遣り取りを行えず、コントローラ側表示部と本体側表示部との間で同一の情報の表示タイミングにズレが生じることがある。また、本体側表示部及びコントローラ側表示部に表示している情報の変更のタイミングにズレが生じることがある。このように表示タイミングにズレが生じると、空気調和関連情報の種類によっては、空気調和装置のユーザが情報の不一致に困惑するだけでなく、空気調和装置に故障が生じたといった誤った判断をしてしまうケースも発生する。
【０００５】
本発明の課題は、本体に対して送信するときに本体から情報を受信する付属機器を備える空気調和装置において、付属機器の機器側表示部への表示タイミングと本体の本体側表示部への表示タイミングの不一致を解消することにある。
【課題を解決するための手段】
【０００６】
第１発明に係る空気調和装置は、本体と付属機器とを備える。本体は、所定の条件が成立したときに報知する空気調和関連情報を表示するための本体側表示部を有する。付属機器は、本体から分離して設けられている。この付属機器は、空気調和関連情報を表示するための機器側表示部を有している。また、付属機器は、本体に信号を送信するときに本体から空気調和関連情報を表示するための信号を受信可能に構成されている。本体は、表示の遅延処理を実施可能に構成されている。この表示の遅延処理では、所定の条件が成立している場合でも、本体側表示部への空気調和関連情報の表示を、機器側表示部に空気調和関連情報を表示するための信号の付属機器への送信までは少なくとも遅延する。
【０００７】
本発明によれば、遅延処理により、本体側表示部への空気調和関連情報の表示が、機器側表示部に空気調和関連情報を表示するための信号の付属機器への送信までは少なくとも遅延するので、本体の本体側表示部の表示タイミングと付属機器の機器側表示部の表示タイミングとを付属機器への空気調和関連情報を表示するための信号の送信以後に揃えることができる。
【０００８】
第２発明に係る空気調和装置は、第１発明に係る空気調和装置であって、遅延処理は、空気調和関連情報を表示するための信号の付属機器への本体からの送信後に付属機器が表示可能になるまで本体側表示部への表示を遅延させるものである。
【０００９】
本発明によれば、付属機器への表示をするための信号の送信後に付属機器が表示可能になるまでタイムラグがある場合であっても、そのタイムラグを本体と付属機器とで一致させることで本体の表示タイミングと付属機器の表示タイミングとの間のずれをいっそう小さくすることができる。
【００１０】
第３発明に係る空気調和装置は、第１発明または第２発明の空気調和装置であって、付属機器は、本体の運転を制御するための設定条件を無線通信により送信するためのリモートコントローラである。このリモートコントローラは、空気調和関連情報を機器側表示部に表示するための信号を無線通信により受信するように構成されている。
【００１１】
本発明によれば、無線通信により本体と付属機器との間で情報の送受信を行うため、情報の受け渡しが間欠的になることから、一般的に所定の条件が成立して報知すべき空気調和関連情報の表示のタイミングがずれるので、表示タイミングを一致させる効果が顕著に発揮される。
【００１２】
第４発明に係る空気調和装置は、第１発明から第３発明のいずれかの空気調和装置であって、本体は、所定の条件が成立し、かつ、所定の優先条件が成立する場合、遅延処理を行わずに本体側表示部に表示を指示する表示の優先処理を実施可能に構成されている。
【００１３】
本発明によれば、付属機器からの送信を待っていられない事態が生じているときに、表示の優先処理を実施することにより、機器側表示部への表示を待たずに本体側表示部に優先して表示することができる。
【００１４】
第５発明に係る空気調和装置は、第１発明から第４発明のいずれかの空気調和装置であって、所定の優先条件は、空気調和関連情報が付属機器から送信される情報によらずに本体で自立的に行う所定運転に関するものである。
【００１５】
本発明によれば、本体と付属機器の両方で表示している空気調和関連情報であっても、本体側で自立的に行う所定運転については、優先条件を使って、付属機器からの送信がなくても表示できるようになる。それにより、付属機器からの送信とは独立に所定運転に関する表示を本体側表示部において行って早期にユーザに提示することができる。
【００１６】
第６発明に係る空気調和装置は、第１発明から第５発明のいずれかの空気調和装置であって、本体は本体側送受信部と本体側制御部とをさらに有している。本体側送受信部は、付属機器からの信号の受信及び空気調和関連情報を表示するための信号の付属機器への送信ができるように構成されている。本体側制御部は、本体側表示部及び本体側送受信部を制御する。付属機器は、本体側送受信部との間で信号の送受信が可能な機器側送受信部と、機器側表示部及び機器側送受信部を制御する機器側制御部とをさらに有する。本体側制御部は、所定の条件が成立しており、かつ、付属機器からの運転停止要求が有ったときに、本体側表示部に空気調和関連情報の表示を指示する。機器側制御部は、付属機器への送信を本体側送受信部から受けたときに、機器側表示部に空気調和関連情報の表示を指示する。
【００１７】
本発明によれば、同一の空気調和関連情報を本体側表示部と機器側表示部の両方に、運転が停止されるタイミングを使って、タイミングを合わせて表示させることができる。
【００１８】
第７発明に係る空気調和装置は、第１発明から第６発明のいずれかの空気調和装置であって、本体が、吸入する室内空気から塵埃を取り除くエアフィルタと、エアフィルタの清掃のときに出た塵埃を蓄積するダストボックスとをさらに備えている。空気調和関連情報は、ダストボックスのメンテナンスに関する情報である。所定の条件は、ダストボックスに蓄積されたものの廃棄が必要になったことを示す事象の検知である。
【００１９】
本発明によれば、ダストボックスの蓄積物の廃棄が必要になって、それを示す事象が検知されると、本体側表示部と機器側表示部の両方を使って、しかも表示のタイミングを合わせてユーザにダストボックスのメンテナンスの情報を知らせることができる。ダストボックスのメンテナンスは本体の運転停止中に行うことが好ましいため、例えば、運転停止中に本体側表示部と機器側表示部の両方を使ってタイミングを合わせて表示することができる。
【００２０】
第８発明に係る空気調和装置は、第７発明の空気調和装置であって、本体は、所定条件が成立し、かつ本体が付属機器から送信される情報によらずにエアフィルタの清掃を行ったという優先条件が成立しているときに、遅延処理を行わずに本体側表示部に表示を指示する表示の優先処理を実施可能に構成されている。
【００２１】
本発明によれば、エアフィルタの清掃を本体側が独自に行っている場合に、ダストボックスに塵埃が蓄積されて除去が必要になると、付属機器からの受信を待っているとダストボックスのメンテナンスが遅れるため、優先処理を使うことで、本体側が独自に行ったエアフィルタの清掃については本体側が独自のタイミングで早期にユーザに知らせることができる。
【００２２】
第９発明に係る空気調和装置は、第７発明の空気調和装置であって、本体は、所定条件が成立し、かつ本体の運転中に強制的にエアフィルタの清掃を行ったという優先条件が成立しているときに、遅延処理を行わずに本体側表示部に表示を指示する表示の優先処理を実施可能に構成されている。
【００２３】
本発明によれば、本体の運転中に割り込んでエアフィルタの清掃を行うとエアフィルタ清掃後には、また本体の運転中となり、ダストボックスのメンテナンスの報知が必要となった後も付属機器は運転に対応した表示をしなければならなくなるため、付属機器の表示が可能になるタイミングとメンテナンスの報知が必要になったタイミングとの間の時間差が大きくなりすぎる。この場合に、優先処理を使って本体側表示部が独自に表示することで早期に報知してメンテナンスを促すことができる。
【発明の効果】
【００２４】
第１発明に係る空気調和装置では、本体の本体側表示部と付属機器の機器側表示部の表示タイミングを付属機器への空気調和関連情報を表示するための信号の送信以後に揃えて、本体側表示部と機器側表示部の表示のタイミングのずれを是正することにより、本体側表示部と機器側表示部の表示の不一致によってユーザが混乱するのを防止することができる。
【００２５】
第２発明に係る空気調和装置では、空気調和関連情報を表示するための信号の送信以後に付属機器が表示可能になるまで時間が掛かる場合であっても、表示可能になるまでの時間による本体と付属機器の表示タイミングのずれを是正できるので、ユーザが表示の不一致により混乱するケースをさらに減らすことができる。
【００２６】
第３発明に係る空気調和装置では、本体側表示部と機器側表示部の表示の不一致によってユーザが混乱するのを防止することができる効果が顕著になる。
【００２７】
第４発明に係る空気調和装置では、本体側表示部と機器側表示部の両方で表示する空気調和関連情報であっても、優先処理を使って、機器側表示部への表示を待たずに本体側表示部に優先して表示することができるので、空気調和関連情報の報知が急がれるときにユーザへの情報の伝達が遅れるのを防止することができる。
【００２８】
第５発明に係る空気調和装置では、本体で自立的に行われる所定運転について優先処理を適用することで本体側表示部と機器側表示部の表示タイミングの自由度が増す。
【００２９】
第６発明に係る空気調和装置では、本体側表示部と機器側表示部の両方を用いて、知らせたい空気調和関連情報の表示を、運転が停止するタイミングを使ってタイミングを合わせて行うことができ、本体側表示部と機器側表示部の両方を使ってユーザに混乱を与えることなく表示を行うことができる。
【００３０】
第７発明に係る空気調和装置では、ダストボックスのメンテナンスに関する情報を、本体側表示部と機器側表示部の両方を使って、例えば、運転停止中などの適切なタイミングに合わせて表示することができ、ユーザに対して適切なタイミングでダストボックスのメンテナンスが必要になったことを報知できる。
【００３１】
第８発明に係る空気調和装置では、エアフィルタの清掃を付属機器からの指示を受けずに本体が独自に行ってダストボックスのメンテナンスが必要になった場合でも、機器側表示部に表示ができるタイミングを待たずに本体側表示部だけで表示を行って迅速にメンテナンスを促すことができ、ダストボックスのメンテナンスが必要な状態で長期に運転を続けることを防止できる。
【００３２】
第９発明に係る空気調和装置では、エアフィルタの清掃を本体の運転中に強制的に行ってダストボックスのメンテナンスが必要になった場合でも、機器側表示部に表示ができるタイミングを待たずに本体側表示部だけで表示を行って迅速にメンテナンスを促すことができ、ダストボックスのメンテナンスが必要な状態で長時間運転を続けることを防止できる。
【発明を実施するための最良の形態】
【００３３】
＜空気調和装置の構成の概要＞
図１は、本発明の一実施形態に係る空気調和装置の全体構成を示す概略図である。空気調和装置１は、室内の壁に取り付けられる室内機２と、室外に設置される室外機３と、室内機２及び室外機３の運転状態の設定条件などを指示するためのリモートコントローラ５とを備えている。これら室内機２と室外機３とは、冷媒配管、加湿ホース、伝送線及び通信線などを集合した集合連絡管４によって接続されている。熱交換の面から空気調和装置１をみると、例えば、室内機２の室内側熱交換器（冷房時は蒸発器／暖房時は凝縮器）及び、室外機３の圧縮機と室外側熱交換器（冷房時は凝縮器／暖房時は蒸発器）と膨張弁などが、集合連絡管４の中を通る冷媒配管で連結されて冷媒回路を構成している。
【００３４】
一方、制御の面から空気調和装置１をみると、リモートコントローラ５などが空気調和装置１の制御端末として働く。さらに、リモートコントローラ５から指令を受けて室内機２の室内ファンモータなどの室内側機器を制御するための制御デバイスが室内機２に備えられ、室外機３の室外ファンモータなどの室外側機器を制御するための制御デバイスが室外機３に備えられている。これら室内機２の制御デバイスと室外機３の制御デバイスとは集合連絡管４の中を通る伝送線及び通信線で接続されており、後述する本体側制御部を構成する。
【００３５】
室内機２は、送受信窓２２を備えている。この送受信窓２２は、室内機２に対して与えられる設定条件などに係る指示信号を、リモートコントローラ５から双方向の無線通信により受信するためのものである。また、送受信窓２２は、室内機２及び室外機３の制御デバイスに与える設定条件の受信確認やその他の情報に係る信号を、リモートコントローラ５に対して無線通信により送信する。
【００３６】
室内機２は、前面パネル２４にパネル表示部２３を備え、吹出口２５と前面パネル２４との間にLED（light emitting diode）表示部２６を備えている。パネル表示部２３は、図２に示すように、筐体２１に開閉自在に取り付けられている前面パネル２４の裏側の筐体前面に取り付けられているため、表示を行っていないときには不透明な前面パネル２４に隠れて見えない状態にある。しかし、パネル表示部２３において表示を行うためにLEDを点灯したときには、LEDから発せられた光が前面パネル２４を透過するように構成されているため、ユーザは透過光によって表示内容を認識することができる。このパネル表示部２３は、縦横に５×３のマトリクス状に１５個のLEDを並べて形成されたセグメントを、室内機２の長手方向に沿って４個並べて構成されている。パネル表示部２３を構成するLEDには、３段階に輝度の調整ができるタイプのものが用いられている。
【００３７】
LED表示部２６は、複数のLEDから構成され、１個のLEDの点滅により情報を伝達するように構成されている。一般に、複数配置されるLEDの点滅の組み合わせなどにより複数の情報が伝達される。LEDの点滅で、例えば、自動運転・冷房・暖房・除湿などの運転モード、ダストボックスの掃除要請などのメンテナンスに関する情報、及び故障に関する情報を知らせることができる。
【００３８】
また、室内機２は、パネル表示部２３やＬＥＤ表示部２６による報知と合わせて音による報知を行う場合があり、そのために筐体２１の内側にスピーカ２７を備えている（図２参照）。
【００３９】
また、前面パネル２４を開けると、室内機２が、パネル表示部２３の上方に、筐体２１の長手方向に沿って延びるダストボックス２８を備えていることが分かる。この室内機２は、後述するように、エアフィルタに集塵された埃を自動的にブラシで掻き落とすフィルタ清掃機構を備えており、ダストボックス２８は、そのフィルタ清掃機構の一部をなしており、埃を掻き落とすためのブラシを有していてブラシで掻き落とした埃を溜めておくための容器として機能する。
【００４０】
＜空気調和装置の制御＞
空気調和装置１は、室内機２及び室外機３の制御、並びにリモートコントローラ５の制御を行う機能を有している。図３（ａ）は、室内機２及び室外機３の制御つまり本体側の制御の概要を説明するためのブロック図であり、図３（ｂ）は、リモートコントローラ５の制御つまり外部機器側の制御の概要を説明するためのブロック図である。
【００４１】
室内機２及び室外機３は、図３（ａ）に示す本体側制御部１００を備えている。本体側制御部１００は、図示を省略するが、マイクロプロセッサ、ＲＯＭ、ＲＡＭ、各種インターフェイスなどからなり、ＲＯＭ中に格納されているプログラムに基づいて、空気調和に関する運転を制御するための運転制御部１０１、及び空気調和関連情報をユーザに報知する制御を行うための報知制御部１０２を備えて構成されている。
【００４２】
本体側制御部１００には、室外機３に設けられる各種センサ１１１、圧縮機１１２、四路切換弁１１３、電動弁１１４及び室外ファンモータ１１５などが接続されている。室外機３に設けられる各種センサ１１１は、吐出管用サーミスタ、外気用サーミスタ、室外熱交換器用サーミスタ、外気用湿度センサなどの各種センサや吐出側圧力保護スイッチなどの感応スイッチなどを含み、それぞれで検知した情報を検知信号として本体側制御部１００に出力する。
【００４３】
圧縮機１１２、四路切換弁１１３及び電動弁１１５は、室外機３に配置され、冷媒回路の一部を構成するものである。また、室外ファンモータ１１６は、室外機３の室外側熱交換器に外気を導入するとともに室外側熱交換器と熱交換を行った後の空気を室外に排出するための室外ファンを駆動する。そのため、圧縮機１１２、四路切換弁１１３、電動弁１１５及び室外ファンモータ１１６は、環境状態及び運転状態に関する情報などに基づいて、最適な動作を行うように本体側制御部１００の運転制御部１０１により制御される。
【００４４】
また、本体側制御部１００には、室内機２に設けられる各種センサ１２１、室外ファンモータ１２２、本体側表示部１２３、本体側送受信部１２４、スピーカ２７、フィルタ清掃機構３５及びその他作動部１２８が接続されている。室内機２に設けられる各種センサ１２１は、冷媒回路中の室内熱交換器用サーミスタ、室温センサ、湿度センサなどを含み、それぞれで検知した情報を検知信号として本体側制御部１００に出力する。室内ファンモータ１２２は、後述する室内機２の室内側熱交換器に室内空気を導入するとともに室内側熱交換器と熱交換を行った後の調整空気を室内に供給するための室内ファンを駆動する。そのため、室内ファンモータ１２２は、環境状態及び運転状態に関する情報などに基づいて、室内に調整空気の最適な空気流を生成するように本体側制御部１００の運転制御部１０１により制御される。
【００４５】
本体側表示部１２３は、図２に示すパネル表示部２３及びＬＥＤ表示部２６を含み、環境状態や運転状態などの空気調和関連情報を表示するための構成である。環境状態としては、室内温度、室外温度、室内湿度、及び室外湿度などがあり、運転状態としては、室内温度や室内湿度の設定値などの設定条件、管内の温度・圧力や消費電力などの各部や全体の状態に関する情報、故障の報知やダストボックス２８の掃除要請などのイベント情報及び電気代などの空気調和装置運用上の情報などがある。この本体側表示部１２３は報知制御部１０２により制御される。
【００４６】
スピーカ２７は、報知音や音声によって本体側表示部１２３の報知を補助するものであって、例えば、リモートコントローラ５から信号を受信したときに、受信した旨の通知や設定条件の変更などを報知音や音声などにより報知することによって、ユーザの視覚だけでなく聴覚に訴えて情報の伝達を確実にするためのものである。このスピーカ２７は報知制御部１０２により制御される。
【００４７】
本体側送受信部１２４は、図２に示す室内機２の送受信窓２２以外にも、室内機２の操作盤、及び室内機２や室外機３に設けられた各種スイッチなどを含み、室内機２及び室外機３とユーザとの間で情報の遣り取りを行うための構成である。室内機２の送受信窓２２は、室内機２が停止しているときでも赤外線によりリモートコントローラ５との間で双方向の送受信が行える。ただし、室内機２からリモートコントローラ５への空気調和関連情報に係る送信は、リモートコントローラ５から指示信号が室内機２に送信されてきたタイミングで返信する返信信号のみによって行われる。
【００４８】
フィルタ清掃機構３５は、エアフィルタを自動的に清掃するための機構であって、リモートコントローラ５からの指示や設定条件に従って本体側制御部１００の制御の下でエアフィルタに付着した塵埃を除去する機構である。フィルタ清掃機構３５には、ダストボックス２８が付属しており、例えばダストボックス２８に塵埃が規定値以上に溜まったと本体側制御部１００が判断すると、報知制御部１０２に対してダストボックス２８の掃除要請サインを表示するように要求信号が出力される。
【００４９】
他の作動部１２６は、フラップ（上下風向調節羽根）やルーバー（左右風向調節羽根）を作動させる作動用モータなどを含んでおり、記憶されている設定条件やリモートコントローラ５などからの指示に応じて運転制御部１０１により制御される。
【００５０】
＜リモートコントローラ＞
リモートコントローラ５は、図３（ｂ）に示すようにコントローラ側制御部２００、コントローラ側操作部２１１、コントローラ側表示部２１２及びコントローラ側送受信部２１３を備えている。また、リモートコントローラ５は、図４に示す外観を呈する。外観上、このリモートコントローラ５は、コントローラ本体５１、入出力ポート５２、液晶画面５３、及び操作面５４を備えている。
【００５１】
コントローラ側制御部２００は、図示を省略するが、マイクロプロセッサ、ＲＯＭ、ＲＡＭ、各種インターフェイスなどからなり、ＲＯＭ中に格納されているプログラムに基づいて、種々の情報を室内機２との間で送受信するための制御を行う表示制御部２０１を備えている。
【００５２】
コントローラ本体５１の形状は、全体的に丸みを帯びた扁平な直方体をしており、手で握って操作し易いようなコンパクトな大きさである。このコントローラ本体５１の上面に、液晶画面５３と操作面５４とが設けられ、前面に入出力ポート５２が設けられている。この入出力ポート５２は、コントローラ側送受信部２１３に含まれ、コントローラ側制御部２００により制御される。液晶画面５３は、入出力ポート５２が設けられている前面に近い側の上面の約半分を占めており、操作面５４は前面から遠い側の上面の約半分を占めている。コントローラ本体５１の形状をコンパクトにしなければならないため、液晶画面５３の大きさが限られ、液晶画面５３に一度に表示できる情報も限られる。空気調和装置１が高機能化するに従い種々の表示を行わせる必要が生じており、限られた面積で種々の表示を行わせるために、リモートコントローラ５を操作する様々な場面で液晶画面５３の表示を切り替えることが行われる。
【００５３】
液晶画面５３は、コントローラ側表示部２１２に含まれ、コントローラ側制御部２００の表示制御部２０１により制御される。液晶画面５３には、操作内容の表示領域並びに、設定温度、設定湿度、風量の設定、現在の室内温度、室外温度、消費電力など各種情報を表示する表示領域がある。この液晶画面５３の表示は、リモートコントローラ５を操作したときだけでなく、室内温度や室外温度などの情報が室内機２から送られてきたときにも切り替わるよう構成される。
【００５４】
操作面５４に、コントローラ側操作部２１１に含まれ、コントローラ側制御部２００に種々の指示を出すための出力信号を選択する各種ボタンを有している。操作面５４には、液晶画面５３の一辺に沿って並んだ切タイマーボタン５４ａ、情報表示ボタン５４ｂ及び運転・停止ボタン５４ｃがあり、それらの後方に運転モードを切り替えるための冷房ボタン５４ｄ、暖房ボタン５４ｅ、加湿ボタン５４ｆ及び除湿ボタン５４ｇがあり、さらにそれらの後方に設定値を変更するための温度ボタン５４ｈ及び湿度ボタン５４ｉがある。
【００５５】
切タイマーボタン５４ａ、情報表示ボタン５４ｂ及び運転・停止ボタン５４ｃを押すことにより設定を変更すると、変更された設定が表示制御部２０１の制御に従って液晶画面５３に表示され、変更された設定がコントローラ側制御部２００の制御に従ってコントローラ側送受信部２１３の入出力ポート５２から室内機２に送信される。同様に、冷房ボタン５４ｄ、暖房ボタン５４ｅ、加湿ボタン５４ｆ及び除湿ボタン５４ｇを押して運転モードを変更すると、変更された運転モードが液晶画面５３に表示され、変更された運転モードがコントローラ側送受信部２１３の入出力ポート５２から本体側送受信部１２４の送受信窓２２に向けて送信される。前後に長い長方形状の温度ボタン５４ｈや湿度ボタン５４ｉは、前半分の領域を押すと押す回数または押している時間に比例して順次設定値が高くなり、後半分の領域を押すと順次設定値が低くなる。温度ボタン５４ｈ及び湿度ボタン５４ｉの場合も、変更された設定値が液晶画面５３に表示され、変更された設定値が入出力ポート５２から室内機２に送信されるが、設定値の場合は最終的に確定された設定値だけを送ればよいのでコントローラ側制御部２００における設定値確定の判断条件を設けて、その条件に当てはまる値だけを送信する。
【００５６】
リモートコントローラ５のコントローラ側送受信部２１３は、操作面５４で操作して情報を入出力ポート５２から送信するタイミングで、室内機２からの情報を入出力ポート５２で受信する。リモートコントローラ５で受信した情報で表示が必要な場合には、液晶画面５３に表示される。一方、室内機２は、リモートコントローラ５に送信する情報の一部をパネル表示部２３やＬＥＤ表示部２６やスピーカ２７を使ってユーザに報知する。また、リモートコントローラ５から情報を受信した場合も同様に、パネル表示部２３やＬＥＤ表示部２６やスピーカ２７を使ってユーザに報知することがある。
【００５７】
情報表示ボタン５４ｂを操作することにより、例えば、現在の室内温度、室外温度、湿度、消費電力などの各種状態情報や運転に関するアドバイスなどのナビゲーション情報を液晶画面５３に表示させるように構成し得る。この場合は、情報表示ボタン５４ｂが操作されると、リモートコントローラ５から指示信号が室内機２に送信され、その返信として室内機２から送信されてくる情報が液晶画面５３に表示される。例えば、通常の運転状態において、液晶画面５３には、設定温度及び設定湿度が表示される構成であるとする。そこで情報表示ボタン５４ｂが押されると、室内機２に現在の室内温度及び室内湿度のデータ送信を指示する指示信号が送信され、この送信に対する返信でリモートコントローラ５が室内機２から受信したデータに基づいて、液晶画面５３に、設定温度及び設定湿度に対する現在の室内温度及び室内湿度の到達レベルが表示され、続いて現在の室内温度及び室内湿度が表示されるように構成されている。現在の室内温度及び室内湿度が表示された後直ぐに通常画面に戻すよう構成してもよいが、例えば、この後さらに、情報表示ボタン５４ｂが操作される毎に或いは所定時間が経過する毎に、現在の室外温度、室外湿度及び消費電力などの各種データが液晶画面５３に表示されように構成することができる。
【００５８】
さらに、室内機２は、リモートコントローラ５との間で遣り取りする情報以外に、自立的に内部で生成した情報、例えばフィルタ清掃を行うことによって、ダストボックス２８が満杯になり塵埃の除去が必要な状態になったり、ダストボックス２８で異常が発生してメンテナンスが必要になったりした場合などは、室内機２とリモートコントローラ５との間で表示タイミングを調整せずに独立してパネル表示部２３やＬＥＤ表示部２６やスピーカ２７を使ってユーザに伝達することがある。このような室内機２で発生したイベントに応じて情報伝達を行う場合を、フィルタ清掃におけるダストボックス２８の掃除要請を例に上げて説明する。そのためにまず、フィルタ清掃について説明する。
【００５９】
＜フィルタ清掃＞
フィルタ清掃について、図５乃至図７を用いて説明する。図５は室内機２の断面図である。図６（ａ）はダストボックス２８の正面図であり、図６（ｂ）はダストボックス２８の平面図である。図７はダストボックス２８の分解斜視図である。
【００６０】
空気調和装置１が空気調和の運転を行っている時には、室内機２において、筐体２１の上部に設けられている吸入口２９から室内空気が取り入れられる。吸入口２９から取り入れられた室内空気は全てエアフィルタ３０を通過し、エアフィルタ３０を通過する際に室内空気から塵埃の除去が行われる。エアフィルタ３０で塵埃を除去された室内空気は、室内側熱交換器３１を通過する。室内側熱交換器３１を通過する際に、室内空気と冷媒との間で熱交換が行われて空気調和が実施される。室内側熱交換器３１を通過した調和空気は、室内ファンであるクロスフローファン３２によって吹出口２５から室内に吹き出される。このとき、ルーバー３３とフラップ３４によって風向が調節される。なお、図５ではフラップ３４が閉じて吹出口２５が閉じた状態となっているが、運転時にはフラップ３４が回動して吹出口２５が開くよう構成されている。これらルーバー３３やフラップ３４及びクロスフローファン３２を駆動する室内ファンモータ１２２は、図３（ａ）に示す本体側制御部１００の運転制御部１０１によって制御されている。ダストボックス２８の下方には、本体側制御部１００を構成する室内機側の制御デバイスを収納した電装品箱３７が配置されている。
【００６１】
上述のように、調和空気を得るために供給される室内空気が全てエアフィルタ３０を通過することから、エアフィルタ３０においては、室内空気の通過量の総積算値が増すに従って塵埃の付着量が増して行く。塵埃の付着はエアフィルタ３０の網目を埋めることから、室内空気の流量の減少や塵埃の室内側熱交換器３１及びクロスフローファン３２への侵入の原因ともなるため、フィルタ清掃機構３５により適宜エアフィルタ３０に付着した塵埃の除去が行われる。
【００６２】
エアフィルタ３０に付着した塵埃を除去するため、エアフィルタ３０は、フィルタ清掃機構３５のローラ３６でＵターンするように経路３５ａと経路３５ｂの間を移動されながらダストボックス２８のブラシ２８ｃにより塵埃を掻き落とされ、付着していた塵埃をダストボックス２８に蓄積する。ダストボックス２８に規定値以上の塵埃が溜まると塵埃を廃棄しなければエアフィルタ３０の清掃ができなくなる。そこで、本体側制御部１００が例えばクロスフローファン３２の回転数からダストボックス２８に規定値の塵埃が溜まったと判断すると、本体側制御部１００において運転制御部１０１から報知制御部１０２にダストボックス掃除要請サイン（以下、「ＤＢ掃除要請サイン」と略して記載する）の表示の要求信号を出力する。また、塵埃が溜まって廃棄が必要になる場合以外にも、ブラシ２８ｃに糸状のゴミが巻きついてブラシ２８ｃが回転しなくなった場合にも同様にＤＢ掃除要請サインの要求信号を出力するように構成してもよい。なお、ここでファンの回転数とは、単位時間当たりの回転数ではなく、カウントを開始してからの総回転数である。回転数と塵埃の蓄積量との関係は実験的に確認されている。ダストボックス２８の塵埃の蓄積量を示す事象の検知はファンの回転数に限られず、ダストボックス２８にセンサを取り付けて実測してもよく、塵埃の蓄積量と相関の高い他のパラメータであってもよい。
【００６３】
ダストボックス２８は、図６（ａ）及び図６（ｂ）に示すスライド式のロック機構２８ｈにより筐体２１に固定されている。ダストボックス２８に溜まった塵埃を除去する場合には、前面パネル２４を開いてダストボックス２８を露出させ、ロック機構２８ｈを外してダストボックス２８を手前に引き出す。
【００６４】
ダストボックス２８は、収納部材２８ａと蓋部材２８ｂとを組み合わせて構成されており、収納部材２８ａに蓋部材２８ｂを固定するロック機構２８ｇを解放して蓋部材２８ｂを回動させて開くことにより、溜まった塵埃を廃棄し易くなる。ダストボックス２８のブラシ２８ｃは、ブラシ２８ｃに固着されているギア２８ｄによりブラシ駆動用モータ（図示省略）から与えられる駆動力で回転する。ブラシ２８ｃが回転する際に、櫛状の歯２８ｅでブラシ２８ｃを梳くことで、塵埃をダストボックス２８中に蓄積して行く。また、ブラシ２８ｃに与えられる駆動力は、棒状部材２８ｆにも与えられており、棒状部材２８ｆが回転することによりダストボックス２８に蓄積される塵埃を押し込んで確実に収納して行く。
【００６５】
＜設定条件の送受信＞
上述のダストボックス２８に塵埃が蓄積した場合の室内機２とリモートコントローラ５との間での情報の送受信と表示について説明するのに先立ち、一般的な設定条件の情報の送受信について説明する。
【００６６】
室内機２は、リモートコントローラ５から設定条件を含む指示信号を受信すると、本体側制御部１００の運転制御部１０１が、指示信号の受信後所定時間が経過するまでは現在の運転制御を継続し、この所定時間が経過しても次の指示信号を受信しなかった場合には、指示信号に基づいて設定条件を変更して運転制御を行う。このような運転制御部１０１による運転制御を、図８に示すフローチャートに基づいて説明する。
【００６７】
また、報知制御部１０２は、運転制御部１０１による運転制御と連動して、本体側表示部１２３の制御を行い、リモートコントローラ５からの受信に応じた表示や室内機２及び室外機３で得られる空気調和関連情報の表示を行う。
【００６８】
空気調和装置１の電源が投入されると、運転制御部１０１はステップＳ１において初期設定を行う。運転制御部１０１は、ＲＯＭ内に格納された各種パラメータと、必要に応じて各種センサ１１１,１２１からの検出信号から得た環境情報とから、運転に必要となる各種設定値を特定し、必要なデータおよび制御信号を生成する。
【００６９】
ステップＳ２では、運転制御部１０１は、運転に必要となる各種設定値を設定条件として各部の運転制御を実行する。このとき、本体側制御部１００は、室内ファンモータ１２２、他の作動部１２６、圧縮機１１２、四路切換弁１１３、電動弁１１４、室外ファンモータ１１５などを制御して、対応する運転制御を実行する。
【００７０】
ステップＳ３では、運転制御部１０１は、本体側送受信部１２４が指示信号を受信したか否かを判別する。運転制御部１０１は、本体側送受信部１２４が指示信号を受信していないと判断した場合、現在の運転制御を継続し、本体側送受信部１２４が指示信号を受信したと判断した場合にはステップＳ４に移行する。本体側送受信部１２４が指示信号を受信したと判断した場合には、運転制御部１０１は、報知制御部１０２に対し、受信を受けたことを報知するよう要求を出す。報知制御部１０２は、パネル表示部２３及びＬＥＤ表示部２６に対して表示をさせるように制御する。例えば、パネル表示部２３には、図９に示すようなアニメーションを表示するように指示することができる。図９（ａ）、図９（ｂ）、図９（ｃ）、図９（ｄ）、図９（ｅ）、図９（ｆ）の順で、時間をずらして表示を変えることで、パネル２３ｂの右端中央とパネル２３ｃの左端中央から次第に光が外側に向けて広がるようなアニメーションが表現されている。最後の図９（ｆ）は表示が消えた状態を示しており、パネル２３ａ、２３ｄは終始消えたままの状態を保つ。
【００７１】
一方、ＬＥＤ表示部２６においては、本体側制御部１００が受信を確認した時点でＬＥＤ表示部２６のいずれのＬＥＤを点滅させるかをユーザとの間で予め取り決めておけば、一つのＬＥＤの点滅でも受信のあったことを報知できる。また、必要に応じて、スピーカ２７から音声などを流すこともできる。
【００７２】
ステップＳ４では、運転制御部１０１は、本体側送受信部１２４の送受信窓２２により指示信号を受信してからの経過時間を計測するためのタイマーＴ１をリセットし、指示信号を受信してからの経過時間の計測を開始する。
【００７３】
ステップＳ５では、運転制御部１０１は、本体側送受信部１２４の送受信窓２２により指示信号を受信してからの経過時間が所定時間を超えたか否かを判別する。運転制御部１０１は、タイマーＴ１の値が所定時間を超えていないと判断した場合にはステップＳ６に移行し、タイマーＴ１の値が所定時間を超えたと判断した場合にはステップＳ７に移行する。ここで、タイマーＴ１の閾値となる所定時間は、ユーザがリモートコントローラ５を連続して操作する場合の操作間隔に所定のマージンを加算した時間に設定することができ、例えば、３〜５秒程度に設定することができる。
【００７４】
ステップＳ６では、運転制御部１０１は本体側送受信部１２４の送受信窓２２が指示信号を受信したか否かを判別する。運転制御部１０１は、本体側送受信部１２４が指示信号を受信していないと判断した場合ステップＳ５に移行し、本体側送受信部１２４が指示信号を受信したと判断した場合にはステップＳ４に移行する。
【００７５】
ステップＳ７では、運転制御部１０１は、受信した指示信号中に運転終了の指示が含まれているか否かを判別する。運転制御部１０１は、本体側送受信部１２４により受信した指示信号中に運転終了の指示が含まれていないと判断した場合にはステップＳ８に移行し、運転終了の指示が含まれていると判断した場合にはステップＳ９に移行する。
【００７６】
ステップＳ８では、運転制御部１０１は、最後に受信した指示信号に含まれる設定条件に基づいて、現在の設定条件を変更して運転制御を行う。たとえば、受信した指示信号中に設定温度を１度下げるような指示があった場合には、本体側制御部１００はこの設定条件に応じて設定値を変更し、これに基づいて室内ファンモータ１２２、他の作動部１２６、圧縮機１１２、四路切換弁１１３、電動弁１１４、室外ファンモータ１１５などの制御を行う。この後、運転制御部１０１は、ステップＳ３に移行し、本体側送受信部１２４により指示信号を受信するまで現在の設定条件による運転制御を継続する。
【００７７】
ステップＳ９では、運転制御部１０１は、必要なパラメータを電源バックアップされたメモリに格納するとともに、各部を停止するための制御信号を出力して終了処理を実行する。
【００７８】
このような構成とすることで、リモートコントローラ５からの指示信号を受信した後、所定時間経過するまで待機し、確実な制御運転を可能とする。
【００７９】
＜ダストボックスの清掃に関する表示＞
次に、ダストボックス２８の塵埃が蓄積されてダストボックスの清掃が必要になった場合の表示について説明する。図１０及び図１１は、ダストボックスの清掃に関連する各部の動作や信号の送受信や表示のタイミングについて説明するためのタイミングチャートである。
【００８０】
図１０に示すように、空気調和装置１の本体（室内機２及び室外機３）は、実際の使用状態においては運転と停止を繰り返すことになる。フィルタ清掃のタイミングとしては、空気調和装置１の運転中に行うフィルタ清掃のタイミングＦ１と、空気調和装置１の空気調和が終了してから停止前に行う通常のフィルタ清掃のタイミングＦ２とがある。運転中にエアフィルタ３０の清掃を行うのは、例えば、運転中にリモートコントローラ５からフィルタ清掃の指示信号が送信された場合である。なお、図４のリモートコントローラ５の操作面５４にはフィルタ清掃の指示用ボタンの記載がないが、正面図に描かれていないところに設けられている。また、タイミングＦ１でフィルタ清掃を行う場合として、空気調和装置１が空気調和を行わずに換気だけを続けている空気調和装置１の運転中に換気時間が所定時間に達するなどの予め設定された条件を満足したときに、本体側制御部１００が自動的に換気運転を停止してフィルタ清掃を行う場合がある。なお、以下の説明において、換気のみを長期間続ける運転を２４時間換気という。
【００８１】
（通常のフィルタ清掃におけるＤＢ掃除要請サインの表示）
図１０では、空気調和装置１の空気調和が終了してから停止前にフィルタの清掃を行った場合のダストボックス２８の掃除要請サインの表示について記載している。図１０に示すように、空気調和装置１の停止前に室内機２のフィルタ清掃機構３５により通常のフィルタ清掃を行った場合（タイミングＦ２）において、このフィルタ清掃中にダストボックス２８に蓄積された塵埃が規定値を超えたときには、ダストボックス２８の塵埃を廃棄するためのＤＢ掃除要請サインの表示を要求する要求信号ＳＮ１が本体側制御部１００の内部において報知制御部１０２に対して出力される。
【００８２】
しかし、このとき、室内機２がリモートコントローラ５との間で通信を行っていないので、リモートコントローラ５に対して表示指示が出せないため、リモートコントローラ５の液晶画面５３にはＤＢ掃除要請サインを表示することはできない。
【００８３】
リモートコントローラ５への送信は、次にリモートコントローラ５の操作面５４の操作によってリモートコントローラ５の入出力ポート５２から運転指示の信号ＳＮ２が送信され、その際に室内機２の本体側送受信部１２４の送受信窓２２からの返信信号ＳＮ３によって行われる。このときの返信の信号ＳＮ３にリモートコントローラ５に対する表示指示が含まれることになる。リモートコントローラ５では、この表示指示を受けて初めて液晶画面５３へのＤＢ掃除要請サインの表示指示が可能な状態になる。リモートコントローラ５では、この表示信号を受信してコントローラ側制御部２００のＲＡＭにＤＢ掃除要請サインの表示指示信号の受信が記憶される。
【００８４】
しかし、空気調和装置１は、運転の指示を受けて運転を始めるため、リモートコントローラ５の液晶画面５３は、運転に関する情報を表示しなければならなくなってＤＢ掃除要請サインの表示ができない。また運転中にダストボックス２８の清掃をすべきではないため、運転中にＤＢ掃除要請サインの表示を行うのは適当ではない。
【００８５】
従って、液晶画面５３にＤＢ掃除要請サインの表示Ｄ４が行われるのは、運転停止の指示信号ＳＮ４により、運転が停止するタイミングである。運転を停止するためにユーザが操作面５４の運転・停止ボタン５４ｃを押して運転停止の指示信号ＳＮ４をリモートコントローラ５から室内機２に送信することにより、リモートコントローラ５では、室内機２の停止を予測できる。そこで、リモートコントローラ５では、室内機２が指示信号ＳＮ４を受信してから運転を停止するまでの遅延時間を考慮して、室内機２の運転停止に合わせてＤＢ掃除要請サインの表示Ｄ４を行うことができる。
【００８６】
一方、室内機２では、停止信号ＳＮ４をリモートコントローラ５から受けることによって運転を停止した時点で、パネル表示部２３及びＬＥＤ表示部２６に表示を行う。パネル表示部２３は、運転停止後に所定時間だけ点灯した後に表示Ｄ１を消して他の表示が可能な状態になる。一方、ＬＥＤ表示部２６は、所定のＬＥＤを点滅させる表示をＤＢ掃除要請がリセットされるまで続ける。パネル表示部２３には、ダストボックス２８の掃除が必要になったことを示すＤＢ掃除要請サインとして、例えば図１２に示すような「ＦＵＬＬ」の文字などが表示される。
【００８７】
もし、運転中にリセットされなかった場合には、次の停止時に、室内機２のパネル表示部２３はＤＢ掃除要請サインの表示Ｄ３を行い、リモートコントローラ５の液晶画面５３でもＤＢ掃除要請サインの表示Ｄ５を行う。
【００８８】
（強制的なフィルタ清掃におけるＤＢ掃除要請サインの表示）
図１１では、空気調和装置１の空気調和のときに割り込んで強制的にフィルタの清掃を行う場合のダストボックス２８の掃除要請の表示について記載している。図１１に示すように、空気調和装置１の運転中にフィルタの清掃を行うようリモートコントローラ５から指示信号ＳＮ１１が送信される。この指示信号ＳＮ１１を受けて、室内機２は、空気調和装置１の運転中に一時的に空気調和の動作を止めてフィルタ清掃機構３５によりフィルタの清掃を行う。
【００８９】
強制的にエアフィルタ３０の清掃を行った場合に、ダストボックス２８に蓄積された塵埃が規定値を超えたときには、ダストボックス２８の塵埃を廃棄するためのＤＢ掃除要請サインを要求する要求信号ＳＮ１２が本体側制御部１００の内部において報知制御部１０２に対して出力される。
【００９０】
ＤＢ掃除要請サインを要求する要求信号ＳＮ１２が発生した時点で、室内機２は、リモートコントローラ５との間で通信を行っていないが、リモートコントローラ５との間で表示タイミングを合わせるためにリモートコントローラ５の送信を待っていると、ダストボックス２８の掃除が適切に行われない状態が続くため、早期にユーザに報知することを優先して遅延を無効化し、室内機２の運転中にＬＥＤ表示部２６を用いてＤＢ掃除要請のサインの表示Ｄ１１を行わせる。このとき、表示と合わせて室内機２のスピーカ２７を用いて、例えば音声によりＤＢ掃除要請を行わせてもよい。また、室内機２が停止したときには、パネル表示部２３にもＤＢ掃除要請のサインの表示Ｄ１２を行わせることもできる。
【００９１】
もし、ＤＢ掃除要請のサインが表示されているにも拘らず、リモートコントローラ５から運転を開始する指示信号ＳＮ１２が送信されて、ダストボックス２８の清掃を行わずに運転を再開したときには、リモートコントローラ５に送信される運転開始の指示信号ＳＮ１３にあわせてＤＢ掃除要請のサインの表示指示信号ＳＮ１４が送信されるようにして、次の運転停止時にリモートコントローラ５の液晶画面５３にＤＢ掃除要請のサインの表示Ｄ１４を行わせることもできる。このときに、室内機２のパネル表示部２３にもＤＢ掃除要請のサインの表示Ｄ１３を行わせることもできる。
【００９２】
（２４時間換気時のＤＢ掃除要請サインの表示）
２４時間換気時のＤＢ掃除要請サインの表示もタイミングとしては、フィルタ強制清掃時のＤＢ掃除要請サインの表示と同様である。両者とも、図１１を用いて説明したような遅延処理の無効化により本体側表示部１２３における即時の表示を行う。２４時間換気時のエアフィルタ３０の清掃と、強制的なフィルタ３０の清掃時のエアフィルタ３０の清掃とが異なる点は、強制的なエアフィルタ３０の清掃がリモートコントローラ５などを用いてユーザからの要求に応じて行われるのに対し、２４時間換気時のエアフィルタ３０の清掃が空気調和装置１に組み込まれているプログラムに従って自動的に行われるところにある。
【００９３】
上述の相違点をＤＢ掃除要請サインの表示の観点からみると、両者とも遅延処理を無効にする点では一致するものの、その無効化するための条件が異なるのである。すなわち、強制的なフィルタ清掃の場合には、空気調和装置１の運転中にエアフィルタ３０の清掃を行うような指示信号がリモートコントローラ５から送信されてくることが条件となるが、２４時間換気の場合には、空気調和装置１が２４時間換気中に自立的にエアフィルタ３０の清掃を行うことが条件となる。
【００９４】
この条件を図３（ａ）のブロック図について説明する。２４時間換気のための送風は、運転制御部１０１が室内ファンモータ１２２などを制御して行っている。運転制御部１０１は、２４時間換気が一定期間経過すると自動的にエアフィルタ３０の清掃を行うようにフィルタ清掃機構３５に指示を出力する一方、２４時間換気の運転を停止する。運転制御部１０２はエアフィルタ３０の清掃を監視しており、２４時間換気中のエアフィルタ３０の清掃でダストボックス２８の塵埃蓄積量が規定値を超えたと判断されると、運転制御部１０２から報知制御部１０２にＤＢ掃除要請サインの表示を要求する要求信号が出力される。このとき出力される要求信号が、図１１に示す要求信号ＳＮ１２に相当する。その後のＤＢ掃除要請サインの表示動作は、図１１を用いて既に説明した強制的なフィルタ清掃の場合と同じであるので、要求信号ＳＮ１２が出力された後の説明は省略する。
【００９５】
（表示の制御）
次に、上述のダストボックスの清掃要求の表示の室内機２における制御ついて図１３及び図１４のフローチャートを用いて説明する。図１３はＬＥＤ表示部２６の表示を説明するためフローチャートであり、図１４はパネル表示部２３の表示を説明するためのフローチャートである。
【００９６】
図３（ａ）に示す報知制御部１０２は、表示要求信号が入力するのを待っている（ステップＳ１０１）。この信号待ちの期間に、運転制御部１０１がフィルタ清掃機構３５の状態を監視しており、フィルタ清掃の状況に基づいてフィルタ清掃機構３５のダストボックス２８に規定値以上の塵埃が溜まっているなどの理由でダストボックス２８の掃除が必要と判断されるときは、運転制御部１０１は報知制御部１０２に対してＤＢ掃除要請サインの表示の要求信号を出力する。
【００９７】
運転中は、報知制御部１０２においてＤＢ掃除要請サインの要求信号の入力があるまでステップＳ１０１とステップＳ１０２のループを巡り、ＤＢ掃除要請サインの要求信号の入力があると判断されたときは次のステップＳ１０３に移行する。
【００９８】
報知制御部１０２は、本体側制御部１００のＲＡＭから、フィルタ清掃の要求信号が出力されたときの運転状態に関する情報を取得する（ステップＳ１０３）。次に、ステップＳ１０４に移行し、取得した運転状態の情報に基づいて、運転中にリモートコントローラ５から指示信号を受けて行ったフィルタ清掃か、または２４時間換気中に行ったフィルタ清掃か否か、つまり通常のフィルタ清掃か否かを報知制御部１０２が判別する。ステップＳ１０４において、通常のフィルタ清掃でないと判断されたときはステップＳ１０９に移行し、通常のフィルタ清掃と判断されたときは次のステップＳ１０５に移行する。
【００９９】
ステップＳ１０５において、報知制御部１０２は、本体側制御部１００のＲＡＭから、本体側送受信部１２４からコントローラ側送受信部２１３に対して送信したＤＢ掃除要請サインの表示を指示する指示信号の送信履歴を取得する。そして、ステップＳ１０２で認識されたＤＢ掃除要請サインの要求に対応して表示指示信号がリモートコントローラ５に対して送信されたか否かを報知制御部１０２が判別する（ステップＳ１０６）。ステップＳ１０６において、ＤＢ掃除要請サインの表示指示信号がまだ送信されていないと判断されたときは、ステップＳ１０５に移行して表示指示信号が本体側送受信部１２４からコントローラ側送受信部２１３に送信されるのを待つ。もし、ＤＢ掃除要請サインの表示指示信号が送信されたと判断されたときは、次のステップＳ１０７に移行する。
【０１００】
ステップＳ１０７において、報知制御部１０２は、本体側送受信部１２４がコントローラ側送受信部２１３から受信した条件設定の指示信号の受信情報を本体側制御部１００から取得する。そして、本体側送受信部１２４において運転停止の指示信号が受信されたか否かを報知制御部１０２が判別する（ステップＳ１０８）。ステップＳ１０８において、運転停止の指示信号がまだ受信されていないと判断されたときは、ステップＳ１０７に移行して指示信号が本体側送受信部１２４で受信されるのを待ち、リモートコントローラ５の運転・停止ボタン５４ｃが押されて運転停止の指示信号が送信されてきたと報知制御部１０２で判断されたときは、次のステップＳ１０９に移行する。
【０１０１】
ステップＳ１０９において、報知制御部１０２はＤＢ掃除要請サインの表示を行うために、本体側表示部１２３に表示指示信号を出力し、本体側表示部１２３はＬＥＤ表示部２６にＤＢ掃除要請サインの表示を行う。またこのとき、本体側制御部１００は、室内機２のパネル表示部２３及び、リモートコントローラ５に表示の指示信号を本体側送受信部１２４により送信して、コントローラ側表示部２１２の液晶画面５３にＤＢ掃除要請サインの表示を行わせるが、詳細については後ほど説明する。
【０１０２】
次に、ステップＳ１１０に移行し、設定条件の変更を指示する指示信号がリモートコントローラ５から送信されるのを待つ。指示信号が本体側送受信部１２４で受信されると、受信された指示信号がＤＢ掃除要請サインの表示を解除する指示信号か否かを判別する（ステップＳ１１１）。ステップＳ１１１において、表示を解除する指示信号がない場合には、ステップＳ１１０に移行して設定条件を変更する指示信号の受信を待つ。
【０１０３】
ステップＳ１１１からステップＳ１１２に移行したときは、ステップＳ１１２で本体側制御部１００は報知制御部１０２にＤＢ掃除要求サインの表示要求を取り消す信号を出力し、報知制御部１０２は本体側表示部１２３のＤＢ掃除要求サインの表示を終了させる。
【０１０４】
次に、パネル表示部２６の表示について、図１４を用いて説明する。
【０１０５】
ステップＳ２０１において、リモートコントローラ５の運転・停止ボタン５４ｃが押されると、コントローラ側送受信部２１３の入出力ポート５２から室内機２の送受信窓２２に対して運転開始を指示する指示信号が送信される。なお、このときパネル表示部２３には、受信確認の表示を行わせることもできるが、ここでは説明を省略する。
【０１０６】
室内機２は運転開始の指示信号の受信が完了するとステップＳ２０２に移行し、報知制御部１０２は本体側表示部１２３に運転開始の表示を要求する。本体側表示部１２３は、パネル表示部２３に運転を開始したことを表示する。
【０１０７】
次に、ステップＳ２０３に移行し、室内機２の本体側制御部１００は、室内機２の本体側送受信部１２４からコントローラ側送受信部２１３に運転開始の指示信号に対する返信の指示信号が送信されるのを待つ。
【０１０８】
本体側制御部１００は、コントローラ側制御部２００との間で指示信号の受信が確認されるとステップＳ２０４に移行し、送信された指示信号がＤＢ掃除要請サインの表示指示信号か否かを判別する。ステップＳ２０４において、ＤＢ掃除要請サインの表示指示信号でないと判断された場合には、処理を終了する。一方、ＤＢ掃除要請サインの表示指示信号であると判断された場合には、本体側制御部１００は報知制御部１０２にＤＢ掃除要請サインの表示の要求信号を出力し、ステップＳ２０５に移行する。
【０１０９】
ステップＳ２０５において、新たにコントローラ側操作部２１１が操作されて指示信号がリモートコントローラ５から室内機２に送信されるのを待つ。新たな指示信号がコントローラ側送受信部２１３から本体側送受信部１２４に送信されると、本体側送受信部１２４から本体側制御部１００に指示信号の受信が通知される。
【０１１０】
指示信号の受信によりステップＳ２０６に移行し、本体側制御部１００は、受信された指示信号が運転停止を指示する指示信号か否かを判別する。ステップＳ２０６において運転停止の指示信号でないと判断されたときは、ステップＳ２０５に移行し受信が行われるまで待機する。一方、運転停止信号であると判断された場合には、次のステップＳ２０７に移行する。
【０１１１】
ステップＳ２０７において、報知制御部１０２はＤＢ掃除要請サインの表示を行うために、本体側表示部１２３に表示指示信号を出力し、本体側表示部１２３はパネル表示部２３にＤＢ掃除要請サインの表示を行う。このとき、コントローラ側制御部２００は、コントローラ側表示部２１２に指示して、ＤＢ掃除要請サインの表示を行わせるので、リモートコントローラ５の液晶画面５３の表示タイミングと室内機２のパネル表示部２３の表示タイミングを一致させることができる。
【０１１２】
次に、ステップＳ２０８に移行し、一定時間経過後、パネル表示部２３の表示を通常表示に変更する。その後、ステップＳ２０９に移行し、設定条件の変更を指示する指示信号がリモートコントローラ５から送信されるのを待つ。指示信号がコントローラ側送受信部２１３から送信されてくると、受信された指示信号がＤＢ掃除要請サインの表示を解除する指示信号であるか否かを判別する（ステップＳ２１０）。ステップＳ２１０において、表示を解除する指示信号でない場合には、ステップＳ２１１に移行し、送信された指示信号が運転を開始する指示信号であるか否かを判別する。運転を開始する指示信号でない場合には、ステップＳ２０９に移行してＤＢ掃除要請サインの表示を解除する指示信号の送信を待つ。運転を開始する指示信号であった場合には、ステップＳ２０５に移行し、リモートコントローラ５から再び運転停止の指示信号が送信されるのを待つ。
【０１１３】
ステップＳ２１０からステップＳ２１２に移行したときは、ステップＳ２１２で本体側制御部１００は報知制御部１０２にＤＢ掃除要求サインの表示要求を取り消し、終了する。
【０１１４】
次に、図１０及び図１１に示したダストボックスの清掃要求の表示のリモートコントローラ５における制御ついて図１５に示すフローチャートを用いて説明する。
【０１１５】
ステップＳ３０１において、リモートコントローラ５の運転・停止ボタン５４ｃが押されると、コントローラ側操作部２１１からコントローラ側制御部２００に信号が通知されてコントローラ側制御部２００からコントローラ側送受信部２１３に送信が指示され、入出力ポート５２から室内機２の送受信窓２２に対して運転開始を指示する指示信号が送信される。
【０１１６】
リモートコントローラ５は送信が完了するとステップＳ３０２に移行し、表示制御部２０１はコントローラ側表示部２１２に運転開始の表示を要求する。コントローラ表示部２１２は、液晶画面５３に運転を開始したことを表示する。
【０１１７】
次に、ステップＳ３０３に移行し、リモートコントローラ５は、室内機２の本体側送受信部１２４からコントローラ側送受信部２１３に運転開始の指示信号に対する返信の指示信号が送信されるのを待つ。コントローラ側送受信部２１３で指示信号が受信されると、受信されたことがコントローラ側送受信部２１３からコントローラ側制御部２００に通知される。
【０１１８】
指示信号が受信されるとステップＳ３０４に移行し、受信された指示信号がＤＢ掃除要請サインの表示指示信号か否かを判別する。ステップＳ３０４において、ＤＢ掃除要請サインの表示指示信号でないと判断された場合には、処理を終了する。一方、ＤＢ掃除要請サインの表示指示信号であると判断された場合には、コントローラ側制御部２００はＲＡＭにＤＢ掃除要請サインの表示指示信号の受信があったことを記憶し、ステップＳ３０５に移行する。
【０１１９】
ステップＳ３０５において、新たにコントローラ側操作部２１１が操作されて指示信号がリモートコントローラ５から室内機２に送信されるのを待つ。新たな指示信号がコントローラ側送受信部２１３から本体側送受信部１２４に送信されると、コントローラ側送受信部２１３からコントローラ側制御部２００に指示信号の送信が通知される。
【０１２０】
指示信号の送信によりステップＳ３０６に移行し、コントローラ側制御部２００は、送信された指示信号が運転停止を指示する指示信号か否かを判別する。ステップＳ３０６において運転停止の指示信号でいないと判断されたときは、ステップＳ３０５に移行し送信が行われるまで待機する。一方、運転停止信号であると判断された場合には、次のステップＳ３０７に移行する。
【０１２１】
ステップＳ３０７において、表示制御部２０１はＤＢ掃除要請サインの表示を行うために、コントローラ側表示部２１２に表示指示信号を出力し、コントローラ側表示部２１２は液晶画面５３にＤＢ掃除要請サインの表示を行う。このとき、本体側制御部１００は、本体側表示部１２３に指示して、ＤＢ掃除要請サインの表示を行わせるので、リモートコントローラ５の液晶画面５３の表示タイミングと室内機２のパネル表示部２３及びＬＥＤ表示部２６の表示タイミングを一致させることができる。
【０１２２】
次に、ステップＳ３０８に移行し、設定条件の変更を指示する指示信号がリモートコントローラ５から送信されるのを待つ。指示信号がコントローラ側送受信部２１３から送信されると、送信された指示信号がＤＢ掃除要請サインの表示を解除する指示信号であるか否かを判別する（ステップＳ３０９）。ステップＳ３０９において、表示を解除する指示信号でない場合には、ステップＳ３１０に移行し、送信された指示信号が運転を開始する指示信号であるか否かを判別する。運転を開始する指示信号でない場合には、ステップＳ３０７に移行してＤＢ掃除要請サインの表示を解除する指示信号の送信を待つ。運転を開始する指示信号であった場合には、ステップＳ３１１において通常表示に変更してステップＳ３０５に移行し、リモートコントローラ５から再び運転停止の指示信号が送信されるのを待つ。
【０１２３】
ステップＳ３０９からステップＳ３１２に移行したときは、ステップＳ３１２でコントローラ側制御部２００は表示制御部２０１にＤＢ掃除要求サインの表示要求を取り消し、表示制御部２０１はＤＢ掃除要求サインの表示を終了する。
【０１２４】
なお、以上の実施形態は、本発明の具体例であって、本発明の技術的範囲を限定するものではない。
【０１２５】
＜変形例＞
（ａ）上記実施形態では、所定の条件が成立したときに報知する空気調和関連情報として、ダストボックス２８の塵埃の掃除要求について説明したが、このような空気調和関連情報はダストボックス２８の掃除要求に限られない。
【０１２６】
（ｂ）上記実施形態では、ダストボックス２８の掃除要求サインについて、リモートコントローラ５の液晶画面５３の表示を待たずに、室内機２の本体側表示部１２３において優先的に表示する例として、運転中の強制的なフィルタ清掃や２４時間換気時のフィルタ清掃について説明したが、優先条件はこれらに限られず、リモートコントローラ５などの外部機器との表示タイミングの一致を待っていたのでは報知が遅れるような条件であればよい。
【０１２７】
（ｃ）上記実施形態では、リモートコントローラ５の入出力ポート５２と室内機２の送受信窓２２との間の通信が赤外線による通信である場合について説明したが、この通信は双方向の通信であればよく、赤外線による通信に限られない。
【０１２８】
＜特徴＞
（１）
空気調和装置１は、室内機２及び室外機３（本体）とリモートコントローラ５（付属機器）を備える。室内機２には、パネル表示部２３とＬＥＤ表示部２６（本体側表示部）があり、リモートコントローラ５には液晶画面５３（機器側表示部）がある。これら室内機２とリモートコントローラ５との間では、無線通信により情報の遣り取りを行っているため、室内機２で発生したイベントに関する情報をリモートコントローラ５に通知するまでに大きな時間差が生じる。
【０１２９】
パネル表示部２３とＬＥＤ表示部２６は本体側表示部１２３に属し、本体側制御部１００の報知制御部１０２により制御されている。例えば、ダストボックス２８の清掃が必要になりＤＢ掃除要請サインを表示する場合、図１０に示すように、報知制御部１０２にＤＢ掃除要請サインを要求する要求信号ＳＮ１が入力しても、直ぐには表示を指示せず、リモートコントローラ５へＤＢ掃除要請サインの表示指示信号の送信が終わり、空気調和装置１の運転が停止されるまで、報知制御部１０２は、本体側表示部１２３にＤＢ掃除要請サインの表示Ｄ１を遅延させる遅延処理を行う。
【０１３０】
一方、リモートコントローラ５では、本体側表示部１２３のＤＢ掃除要請サインの表示Ｄ１が行われるときには既に表示が可能な状態になっているため、本体側表示部１２３の表示Ｄ１の表示タイミングに合わせて表示するように、コントローラ側制御部２００の表示制御部２０１は、コントローラ側表示部２１２にＤＢ掃除要請サインの表示Ｄ４の表示を要求することができる。
【０１３１】
このような報知制御部１０２の遅延処理により、リモートコントローラへの表示指示信号ＳＮ３が送信されるタイミングと、報知制御部１０２が報知制御部１０２にＤＢ掃除要請サインを要求する要求信号ＳＮ１を受け取るタイミングとの差が解消される。それにより、パネル表示部２３及びＬＥＤ表示部２６と液晶画面５３とのＤＢ掃除要請サインの表示のタイムラグを減らすことができる。
【０１３２】
さらに、空気調和装置１の運転中は、リモートコントローラ５の液晶画面５３が運転のための通常表示に用いられるため、ＤＢ掃除要請サインの表示ができない設定となっている。このような場合には、リモートコントローラ５の液晶画面５３をＤＢ掃除要請サインの表示に使用することができる次の運転停止時まで遅延処理を延長する。そのために、本体側制御部１００は、運転停止の指示信号ＳＮ４がリモートコントローラ５から送信されてくるまで待っている。一方、リモートコントローラ５も運転停止の指示信号ＳＮ４を送信するタイミングで表示を行う。それにより、表示指示信号ＳＮ３と運転停止の指示信号ＳＮ４との送信タイミングの差に相当する表示タイミングのズレを解消することができる。
【０１３３】
このように、室内機２のパネル表示部２３及びＬＥＤ表示部２６とリモートコントローラ５の液晶画面５３の両方で表示することで、確実にダストボックスのメンテナンスが必要になったことをユーザに報知することができる。そして、両者の報知タイミングを一致させることで、表示のタイミングがずれることによりユーザが故障と誤解したり、不適切な時期にメンテナンスに着手したりするのを防止することができる。
【０１３４】
（２）
図１１を用いて説明したように、エアフィルタ３０の強制清掃の場合と２４時間換気中のエアフィルタ３０の清掃の場合に、ダストボックス２８の掃除が必要になったときには、報知制御部１０２が行う遅延処理を無効にして、直ちにＬＥＤ表示部２６でＬＥＤを点滅させてＤＢ掃除要請サインの表示Ｄ１１を行う。また、パネル表示部２３においても、空気調和装置１の運転が停止されて表示が可能になった時点でＤＢ掃除要請サインの表示Ｄ１２を行う。
【０１３５】
このときの優先条件は、強制清掃の場合には、空気調和装置１の運転中にエアフィルタ３０の清掃を行うような指示信号がリモートコントローラ５から送信されてくることである。また、２４時間換気の場合には、空気調和装置１が２４時間換気中に自立的にエアフィルタ３０の清掃を行うことが優先条件となる。
【０１３６】
このように、リモートコントローラ５の液晶画面５３への表示を待たずに、本体側表示部１２３のＬＥＤ表示部２６を使って、またはパネル表示部２３も合わせて使って表示することで、迅速にユーザにダストボックス２８のメンテナンスが必要になったことを伝えることができる。
【図面の簡単な説明】
【０１３７】
【図１】本発明の一実施形態に係る空気調和装置の外観斜視図。
【図２】図１に示す空気調和装置の室内機の斜視図。
【図３】（ａ）本体側の制御の概要を説明するためのブロック図。（ｂ）リモートコントローラ側の制御の概要を説明するためのブロック図。
【図４】図１に示すリモートコントローラの外観を示す平面図。
【図５】図２に示す室内機の断面図。
【図６】（ａ）図２に示すダストボックスの正面図。（ｂ）図２に示すダストボックスの平面図。
【図７】図２に示すダストボックスの分解斜視図。
【図８】運転制御を説明するためのフローチャート。
【図９】パネル表示部の表示パターンの説明図。
【図１０】ダストボックスの清掃に関連する各部の動作や信号や表示のタイミングについてのタイミングチャート。
【図１１】ダストボックスの清掃に関連する各部の動作や信号や表示のタイミングについてのタイミングチャート。
【図１２】パネル表示部の表示パターンの説明図。
【図１３】ダストボックスの掃除要請の表示の室内機における制御ついて説明するためのフローチャート。
【図１４】ダストボックスの掃除要請の表示の室内機における制御ついて説明するためのフローチャート。
【図１５】ダストボックスの掃除要請の表示のリモートコントローラにおける制御ついて説明するためのフローチャート。
【符号の説明】
【０１３８】
１  空気調和装置
２  室内機
３  室外機
５  リモートコントローラ
２２  送受信窓
２７  スピーカ
２８  ダストボックス
３０  エアフィルタ
３５  フィルタ清掃機構
１００  本体側制御部
１０１  運転制御部
１０２  報知制御部
１２３  本体側表示部
１２４  本体側送受信部
２００  コントローラ側制御部
２０１  表示制御部
２１１  コントローラ側操作部
２１２  コントローラ側表示部
２１３  コントローラ側送受信部
【図１】
2010121886.tif 000003
【図２】
2010121886.tif 000004
【図３】
2010121886.tif 000005
【図４】
2010121886.tif 000006
【図５】
2010121886.tif 000007
【図６】
2010121886.tif 000008
【図７】
2010121886.tif 000009
【図８】
2010121886.tif 000010
【図９】
2010121886.tif 000011
【図１０】
2010121886.tif 000012
【図１１】
2010121886.tif 000013
【図１２】
2010121886.tif 000014
【図１３】
2010121886.tif 000015
【図１４】
2010121886.tif 000016
【図１５】
2010121886.tif 000017